(57)【要約】【課題】店舗のレジ前に来たユーザに対して、各企業のＱＲコード決済に関する特典情報を提供し、ユーザがお得に買い物ができるようになる情報提供システム等を提供する。【解決手段】ユーザ端末装置と、サーバと、第１ビーコン端末装置とを備える情報システムによる。ユーザ端末装置は、ユーザ端末装置で利用可能な電子決済手段（特定決済手段情報）をユーザ端末側記憶部に保管している。第１ビーコン端末装置は、店舗内のレジ端末付近に設置されて第１ビーコン信号を発信する。サーバは、特定の電子決済手段を利用した時に付与される特典（特定決済特典情報）をサーバ側記憶部に保管している。ユーザ端末装置は、ユーザが店舗内のレジ端末付近に来たとき、第１ビーコン信号をトリガーとして、サーバとの間で、特定決済手段情報を送信して、特定決済特典情報を受信し、これをユーザに対して表示する。【選択図】図１
2020126593.tif 000002
【特許請求の範囲】
【請求項１】
ユーザ端末装置と、サーバと、第１ビーコン端末装置とを備える情報提供システムであって、
前記第１ビーコン端末装置は、店舗内のレジ端末付近に設置されて第１ビーコン信号を発信し、
前記ユーザ端末装置は、前記ユーザ端末装置で利用可能な電子的な決済手段を示す特定決済手段情報を記憶するユーザ端末側記憶部と、前記第１ビーコン信号を受けて、前記特定決済手段情報を前記サーバに送信するユーザ端末側通信部と、前記サーバから、前記特定決済手段情報を利用したときに付与される特典を示す特定決済特典情報を受信してユーザに対して表示する表示部と、を備え、
前記サーバは、特定の電子的な決済手段ごとに、当該決済手段を利用したときに付与される特典を示す決済特典情報を保管するサーバ側記憶部と、前記サーバ側記憶部の情報をもとに前記ユーザ端末装置から受信した前記特定決済手段情報に対応する前記特定決済特典情報を抽出するサーバ側処理部と、前記サーバ側処理部において抽出された前記特定決済特典情報を前記ユーザ端末装置に送信するサーバ側通信部と、を備える
情報提供システム。
【請求項２】
ユーザ端末装置と、サーバと、第１ビーコン端末装置とを備える情報提供システムであって、
前記第１ビーコン端末装置は、店舗内のレジ端末付近に設置されて第１ビーコン信号を発信し、
前記サーバは、特定の電子的な決済手段ごとに、当該決済手段を利用した時に付与される特典を示す決済特典情報を保管するサーバ側記憶部と、少なくとも一つの前記決済特典情報を対応する電子的な決済手段を示す情報に紐づけて前記ユーザ端末装置に送信するサーバ側通信部と、を備え、
前記ユーザ端末装置は、前記ユーザ端末装置で利用可能な電子的な決済手段を示す特定決済手段情報を記憶するユーザ端末側第１記憶部と、前記サーバから前記決済特典情報を繰り返し受信し、電子的な決済手段を示す情報に紐づけた状態で更新しながら記憶するユーザ端末側第２記憶部と、前記第１ビーコン信号を受信したことをきっかけとして、前記ユーザ端末側第１及び第２記憶部の情報をもとに、前記特定決済手段情報に対応する前記決済特典情報である特定決済特典情報を選択するユーザ端末側処理部と、前記特定決済特典情報をユーザに対して表示する表示部と、を備える
情報提供システム。
【請求項３】
前記第１ビーコン信号に前記ビーコン端末装置が設置される店舗を特定する店舗情報が紐づけられており、前記決済特典情報が前記店舗情報に対応するものである請求項１又は２に記載の情報提供システム。
【請求項４】
前記特定決済特典情報が、一つの決済手段を特典とともに示すものであるか、又は複数の決済手段に優先順位を付けて特典とともに示すものである請求項１乃至３のいずれか１項に記載の情報提供システム。
【請求項５】
前記電子的な決済手段は、ＱＲコードを用いている請求項１乃至４のいずれか１項に記載の情報提供システム。
【請求項６】
前記店舗に関連して設置された第２ビーコン端末装置を有し、
前記ユーザ端末装置は、前記第２ビーコン端末装置が発信する第２ビーコン信号を受信することにより、前記特定決済手段情報を前記サーバに送信し、又は、前記決済特典情報を更新する指示を前記サーバに送信することを特徴とする請求項１乃至５のいずれか１項に記載の情報提供システム。
【請求項７】
前記決済特典情報が、当該電子的な決済手段の特典と所定期間内の利用総額に関する情報を含み、
前記サーバ側処理部又は前記ユーザ端末側処理部が、前記特典と所定期間内の利用総額に関する情報を考慮して前記特定決済特典情報を抽出又は選択することを特徴とする請求項１乃至６のいずれか１項に記載の情報提供システム。
【請求項８】
前記サーバ側処理部又は前記ユーザ端末側処理部が、前記ユーザ端末装置保有者の設定するルールを考慮して前記特定決済特典情報を抽出又は選択することを特徴とする請求項１乃至７のいずれか１項に記載の情報提供システム。
【請求項９】
前記ユーザ端末装置が、ユーザが決済前に保持している商品が何かを判別する商品判別部を有し、前記サーバ側処理部又は前記ユーザ端末側処理部が、前記商品判別部で判別された商品を考慮して前記特定決済特典情報を抽出又は選択することを特徴とする請求項１乃至８のいずれか１項に記載の情報提供システム。
【請求項１０】
特定の電子的な決済手段ごとに、当該決済手段を利用したときに付与される特典を示す決済特典情報を保管するサーバ側記憶部と、
前記サーバ側記憶部の情報をもとに、ユーザ端末装置から受信した情報であって前記ユーザ端末装置で利用可能な電子的な決済手段を示す特定決済手段情報に対応する前記特定決済特典情報を抽出するサーバ側処理部と、
前記サーバ側処理部において抽出された前記特定決済特典情報を前記ユーザ端末装置に送信するサーバ側通信部と、
を備える情報提供システム用サーバ。
【請求項１１】
特定の電子的な決済手段ごとに、当該決済手段を利用した時に付与される特典を示す決済特典情報を保管するサーバ側記憶部と、
少なくとも一つの前記決済特典情報を当該決済特典情報に対応する電子的な決済手段を示す情報に紐づけてユーザ端末装置に繰り返し送信するサーバ側通信部と、
を備える情報提供システム用サーバ。
【請求項１２】
コンピュータに、
ビーコン信号を受信すると、前記コンピュータで利用可能な電子的な決済手段を示す特定決済手段情報をサーバに送信する機能と、
前記サーバから、前記特定決済手段情報を利用したときに付与される特典を示す特定決済特典情報を受信して表示部に表示する機能と、
を持たせることを特徴とするプログラム。
【請求項１３】
コンピュータに、
ビーコン信号を受信する機能と、
前記ビーコン信号を受信すると、前記コンピュータで利用可能な電子的な決済手段を示す特定決済手段情報に基づいて、予め定められたルールに従って、特定決済特典情報を表示部に表示する機能と、
を実現させるプログラム。
【請求項１４】
前記予め定められたルールが、前記コンピュータとサーバとの間の繰り返しの通信によって、適宜更新されたものである請求項１０記載のプログラム。
【請求項１５】
ユーザ端末装置が、店舗内のレジ端末付近に設置された第１ビーコン端末装置が送信する第１ビーコン信号を受信する第一工程と、
前記ユーザ端末装置が、前記第１ビーコン信号を受けて、特定決済手段情報をサーバに送信する第二工程と、
前記サーバが、前記特定決済手段情報を受信して、特定決済特典情報を前記ユーザ端末装置に送信する第三工程と、
前記特定決済特典情報を受信した前記ユーザ端末装置が、前記特定決済特典情報を表示する第四工程と、
を含むことを特徴とする情報提供方法。
【請求項１６】
ユーザ端末装置が、サーバから決済特典情報を繰り返し受信し、電子的な決済手段を示す情報に紐付けた状態で更新しながらユーザ端末側第２記憶部に保管する第一工程と、
前記ユーザ端末装置が、店舗内のレジ端末付近に設置された第１ビーコン端末装置が送信する第１ビーコン信号を受信する第二工程と、
前記ユーザ端末装置が、ユーザ端末側第１記憶部に保管されている特定決済手段情報と、前記ユーザ端末側第２記憶部に保管されている前記決済特典情報の情報をもとに、前記特定決済手段情報に対応する前記決済特典情報である特定決済特典情報を選択する第三工程と、
前記ユーザ端末装置が、前記特定決済特典情報を表示する第四工程と、
を含むことを特徴とする情報提供方法。
【発明の詳細な説明】
【技術分野】
【０００１】
本発明は、ビーコン信号を利用した電子決済時の情報提供システム等に関する。
【背景技術】
【０００２】
近年、キャッシュレス決済の一つとして、電子決済が普及しつつある。例えば、電子決済の一つである、ＱＲコード決済とは、店舗での支払いの際、スマートフォンでＱＲコードを読み取ることで決済を行う方式である。
【０００３】
このＱＲコード（登録商標）決済は、アプリケーションをユーザ端末にダウンロードすることで、ユーザ端末の機種に関係なく、様々な機種で利用することができるという利点を有する。
【０００４】
ところで、ＱＲコード決済には、「コード支払い」と「読み取り支払い」の２つの方式がある。コード支払いは、ユーザが、決済時にユーザ端末にダウンロードされたアプリケーションでＱＲコードを表示し、店舗側がＰＯＳ端末でそのＱＲコードを読み取って決済する方式である。また、読み取り支払いは、決済時に店舗側が店舗固有のＱＲコードを表示して、ユーザが、ユーザ端末にダウンロードされたアプリケーションで読み取って、購入金額を入力することで決済する方式である。
【０００５】
他方、決済とは直接関係のない分野ではあるが、ユーザのスマートフォンに対してビーコン信号を送ることにより、そのビーコン信号が設置された場所に特有の関する広告を、ユーザのスマートフォンにプッシュ通知するシステムが知られている。
【０００６】
例えば、特許文献１では、ショッピングモールの各テナントにビーコン端末装置を設置し、ユーザがショッピングモールに入場した際に、ビーコン信号を利用して、ユーザのスマートフォンに対して、各テナントの広告をプッシュ通知するというシステムが開示されている。
【０００７】
他にも、特許文献２では、ＡＴＭにビーコン端末装置を設置し、ユーザがＡＴＭでお金を引き出すタイミングで、ビーコン信号を利用して、ユーザのスマートフォンに対し、時刻、当該ＡＴＭが設置されている場所やユーザ属性情報などの各種情報を考慮した最適な広告をプッシュ通知するシステムが開示されている。
【先行技術文献】
【特許文献】
【０００８】
【特許文献１】特開２０１７−３７５７４号公報
【特許文献２】特開２０１７−１５１７８１号公報
【発明の概要】
【発明が解決しようとする課題】
【０００９】
ユーザが、コード支払いのＱＲコード決済を希望する場合、ユーザは、店舗のレジにおいて、スマートフォンから対応するアプリケーションを起動させてＱＲコードを表示することになる。
【００１０】
しかしながら、ＱＲコード決済ビジネスを展開する企業が増えるにつれ、ユーザのスマートフォンには、ＱＲコード決済のために、複数のアプリケーションがダウンロードされる状況が予想される。
【００１１】
更に、そのような状況において、各企業は自社のＱＲコード決済をユーザに優先的に利用してもらうために、自社のＱＲコード決済を利用してもらったユーザに対して、割引や還元などの特典を付与することになる状況が予想される。
【００１２】
上記のような状況において、各企業の各種特典情報は膨大かつ複雑なものとなり、ユーザは、特定の店舗で買い物をする場合、どの企業のＱＲコード決済を利用すれば一番お得に買い物ができるかについて、適切な情報を得ることが困難な状況になるという問題がある。
【００１３】
そこで本発明は、上記の課題を克服し、店舗のレジ前に来たユーザに対して、各企業のＱＲコード決済に関する特典情報を提供し、ユーザがお得に買い物ができるようになる情報提供システム等を提供する。
【課題を解決するための手段】
【００１４】
上述した課題を解決するために、本発明の一態様は、ユーザ端末装置と、サーバと、第１ビーコン端末装置とを備える情報提供システムであって、前記第１ビーコン端末装置は、店舗内のレジ端末付近に設置されて第１ビーコン信号を発信し、前記ユーザ端末装置は、前記ユーザ端末装置で利用可能な電子的な決済手段を示す特定決済手段情報を記憶するユーザ端末側記憶部と、前記第１ビーコン信号を受けて、前記特定決済手段情報を前記サーバに送信するユーザ端末側通信部と、前記サーバから、前記特定決済手段情報を利用したときに付与される特典を示す特定決済特典情報を受信してユーザに対して表示する表示部と、を備え、前記サーバは、特定の電子的な決済手段ごとに、当該決済手段を利用したときに付与される特典を示す決済特典情報を保管するサーバ側記憶部と、前記サーバ側記憶部の情報をもとに前記ユーザ端末装置から受信した前記特定決済手段情報に対応する前記特定決済特典情報を抽出するサーバ側処理部と、前記サーバ側処理部において抽出された前記特定決済特典情報を前記ユーザ端末装置に送信するサーバ側通信部と、を備える
情報提供システムである。
【００１５】
本発明の一態様は、ユーザ端末装置と、サーバと、第１ビーコン端末装置とを備える情報提供システムであって、前記第１ビーコン端末装置は、店舗内のレジ端末付近に設置されて第１ビーコン信号を発信し、前記サーバは、特定の電子的な決済手段ごとに、当該決済手段を利用した時に付与される特典を示す決済特典情報を保管するサーバ側記憶部と、少なくとも一つの前記決済特典情報を対応する電子的な決済手段を示す情報に紐づけて前記ユーザ端末装置に送信するサーバ側通信部と、を備え、前記ユーザ端末装置は、前記ユーザ端末装置で利用可能な電子的な決済手段を示す特定決済手段情報を記憶するユーザ端末側第１記憶部と、前記サーバから前記決済特典情報を繰り返し受信し、電子的な決済手段を示す情報に紐づけた状態で更新しながら記憶するユーザ端末側第２記憶部と、前記第１ビーコン信号を受信したことをきっかけとして、前記ユーザ端末側第１及び第２記憶部の情報をもとに、前記特定決済手段情報に対応する前記決済特典情報である特定決済特典情報を選択するユーザ端末側処理部と、前記特定決済特典情報をユーザに対して表示する表示部と、を備える情報提供システムである。
【００１６】
本発明の一態様は、特定の電子的な決済手段ごとに、当該決済手段を利用したときに付与される特典を示す決済特典情報を保管するサーバ側記憶部と、前記サーバ側記憶部の情報をもとに、ユーザ端末装置から受信した情報であって前記ユーザ端末装置で利用可能な電子的な決済手段を示す特定決済手段情報に対応する前記特定決済特典情報を抽出するサーバ側処理部と、前記サーバ側処理部において抽出された前記特定決済特典情報を前記ユーザ端末装置に送信するサーバ側通信部と、を備える情報提供システム用サーバである。
【００１７】
本発明の一態様は、特定の電子的な決済手段ごとに、当該決済手段を利用した時に付与される特典を示す決済特典情報を保管するサーバ側記憶部と、少なくとも一つの前記決済特典情報を当該決済特典情報に対応する電子的な決済手段を示す情報に紐づけてユーザ端末装置に繰り返し送信するサーバ側通信部と、を備える情報提供システム用サーバである。
【００１８】
本発明の一態様は、コンピュータに、ビーコン信号を受信すると、前記コンピュータで利用可能な電子的な決済手段を示す特定決済手段情報をサーバに送信する機能と、前記サーバから、前記特定決済手段情報を利用したときに付与される特典を示す特定決済特典情報を受信して表示部に表示する機能と、を持たせることを特徴とするプログラムである。
【００１９】
本発明の一態様は、コンピュータに、ビーコン信号を受信する機能と、前記ビーコン信号を受信すると、前記コンピュータで利用可能な電子的な決済手段を示す特定決済手段情報に基づいて、予め定められたルールに従って、特定決済特典情報を表示部に表示する機能と、を実現させるプログラムである。
【００２０】
本発明の一態様は、ユーザ端末装置が、店舗内のレジ端末付近に設置された第１ビーコン端末装置が送信する第１ビーコン信号を受信する第一工程と、前記ユーザ端末装置が、前記第１ビーコン信号を受けて、特定決済手段情報をサーバに送信する第二工程と、前記サーバが、前記特定決済手段情報を受信して、特定決済特典情報を前記ユーザ端末装置に送信する第三工程と、前記特定決済特典情報を受信した前記ユーザ端末装置が、前記特定決済特典情報を表示する第四工程と、を含むことを特徴とする情報提供方法である。
【００２１】
本発明の一態様は、ユーザ端末装置が、サーバから決済特典情報を繰り返し受信し、電子的な決済手段を示す情報に紐付けた状態で更新しながらユーザ端末側第２記憶部に保管する第一工程と、前記ユーザ端末装置が、店舗内のレジ端末付近に設置された第１ビーコン端末装置が送信する第１ビーコン信号を受信する第二工程と、前記ユーザ端末装置が、ユーザ端末側第１記憶部に保管されている特定決済手段情報と、前記ユーザ端末側第２記憶部に保管されている前記決済特典情報の情報をもとに、前記特定決済手段情報に対応する前記決済特典情報である特定決済特典情報を選択する第三工程と、前記ユーザ端末装置が、前記特定決済特典情報を表示する第四工程と、を含むことを特徴とする情報提供方法である。
【発明の効果】
【００２２】
以上説明したように、本発明によれば、スマートフォンを所持するユーザが、ＱＲコード決済時に、各企業のＱＲコード決済に関する特典情報を参照しながら、よりお得に買い物ができるという効果が得られる。
【図面の簡単な説明】
【００２３】
【図１】本発明の一実施形態における情報提供システムの概要を説明する図である。
【図２】本発明の一実施形態における情報提供システムに用いられるユーザ端末装置２００のハードウエア構成例について説明する図である。
【図３】本発明の第１実施形態における情報提供システムの構成例について説明する図である。
【図４】本発明の第２実施形態における情報提供システムの構成例について説明する図である。
【図５】本発明の第３実施形態における情報提供システムの構成例について説明する図である。
【図６】本発明の第１実施形態における情報提供システムのサーバ側記憶部１０２に保管されているデータ構成例について説明する図である。
【図７】本発明の第２実施形態における情報提供システムのサーバ側記憶部１０３に保管されているデータ構成例について説明する図である。
【図８】本発明の第２実施形態における情報提供システムのビーコン信号に載せる店舗情報の構成例について説明する図である。
【図９】本発明の第２実施形態における情報提供システムのサーバ側記憶部１０２に保管されているデータ構成例について説明する図である。
【図１０】本発明の一実施形態におけるユーザ端末での特典情報の表示例（１）について説明する図である。
【図１１】本発明の一実施形態におけるユーザ端末での特典情報の表示例（２）について説明する図である。
【図１２】本発明の一実施形態におけるユーザ端末での特典情報の表示例（３）について説明する図である。
【図１３】本発明の一実施形態におけるユーザ端末での特典情報の表示例（４）について説明する図である。
【図１４】本発明の一実施形態におけるユーザ端末でのＱＲコードの表示例について説明する図である。
【図１５】本発明の第１実施形態における情報提供システムの構成例について説明するブロック図である。
【図１６】本発明の第３実施形態における情報提供システムの構成例について説明するブロック図である。
【発明を実施するための形態】
【００２４】
以下、本発明の実施の形態について、図面を用いて詳細に説明する。なお、すべての図面において、同様な構成要素には同様の符号を付し、適宜説明を省略する。
【００２５】
（システムの概要）
図１は、本実施形態における情報提供システムの概要を示している。図１の例では、ユーザ２１０は、ユーザ端末装置２００を所持している。ユーザ端末装置２００は、例えば、スマートフォンなどの携帯型の端末である。ユーザ２１０は、店舗３００の入口３１０から入店し（位置Ａ）、商品棚３２０を見ながら買い物を続け（位置Ｂ、Ｃ）、商品を購入するためにレジ端末３３０に近づく（位置Ｄ）。
【００２６】
レジ端末３３０付近には、ビーコン端末装置３４０が設置されており、数メートルの近距離に対してビーコン信号を発信している。ビーコン端末装置３４０の設置場所としては、例えば、レジ端末３３０と接続できる場所、レジカウンター３５０の上などが挙げられる。好ましくは、レジ端末３３０から１ｍ以内である。
【００２７】
このため、位置Ｄにおいてユーザ端末装置２００は、ビーコン信号を受信することになる。ビーコン信号を受信したユーザ端末装置２００は、後述する特定決済手段情報（ユーザ端末装置２００で利用可能な電子決済手段）を自動的に（すなわちユーザからの入力無しで）本発明のサーバに送信する。
【００２８】
特定決済手段情報を受信した本発明のサーバ１００は、ユーザ端末装置２００に対して、後述する特定決済特典情報（ユーザ端末装置２００で利用可能な電子決済手段に関する特典情報）を送信する。特定決済特典情報を受信したユーザ端末装置２００は、表示部において、特典情報を表示した選択画面をユーザ２１０に表示する。
【００２９】
ユーザ２１０は、表示部に表示された選択画面から、一の決済手段を選択し、決済のためのＱＲコード（すなわち決済時に用いられるＱＲコード）を表示させる。その後、ユーザ２１０は、レジカウンター３５０内にいるレジ担当者３６０に対して、ＱＲコードを示して決済を完了する。なお、決済にＱＲコードを用いるのは一例であり、必ずしもＱＲコードを用いる必要はない。また、レジ担当者３６０が不在で、レジ端末３３０が無人レジであり、ユーザ２１０が自らレジ処理を行うものであってもよい。以下、有人レジでも無人レジでもどちらであっても構わない点について、記載を省略する。
【００３０】
（ユーザ端末装置２００のハードウエア構成例）
図２は、ユーザ端末装置２００のハードウエア構成の一例を示す図である。ユーザ端末装置２００の主な構成は、集積回路を用いて実現される。この集積回路は、バス２０１、プロセッサ２０２、メモリ２０３、ストレージデバイス２０４、入出力インタフェース２０５、及びネットワークインタフェース２０６を有する。
【００３１】
バス２０１は、プロセッサ２０２、メモリ２０３、ストレージデバイス２０４、入出力インタフェース２０５、及びネットワークインタフェース２０６が、相互にデータを送受信するためのデータ伝送路である。ただし、プロセッサ２０２などを互いに接続する方法は、バス接続に限定されない。
【００３２】
プロセッサ２０２は、マイクロプロセッサなどを用いて実現される演算処理装置である。
【００３３】
メモリ２０３は、ＲＡＭ（Ｒａｎｄｏｍ  Ａｃｃｅｓｓ  Ｍｅｍｏｒｙ）などを用いて実現されるメモリである。
【００３４】
ストレージデバイス２０４は、ＲＯＭ（Ｒｅａｄ  Ｏｎｌｙ  Ｍｅｍｏｒｙ）やフラッシュメモリなどを用いて実現されるストレージデバイスである。
【００３５】
入出力インタフェース２０５は、バス２０１をデバイスと接続するためのインタフェースである。図２において、入出力インタフェース２０５には、表示デバイス２０７（図示せず）が接続されている。表示デバイス２０７は、本発明の表示部の一例である。また、入出力インタフェース２０５はビーコン信号を受信するためのアンテナをバス２０１に接続する機能も有している。
【００３６】
ネットワークインタフェース２０６は、ユーザ端末装置２００を外部の通信網に接続するためのインタフェースである。ネットワークインタフェース２０６が通信網に接続する方法は、無線接続であってもよいし、有線接続であってもよい。
【００３７】
ストレージデバイス２０４は、ユーザ端末装置２００の各機能要素を実現するためのプログラムモジュールを記憶している。
【００３８】
プロセッサ２０２は、このプログラムモジュールをメモリ２０３に読み出して実行することで、ユーザ端末装置２００の各機能を実現する。
【００３９】
なお、上記した集積回路のハードウエア構成は図２に示した構成に限定されない。例えば、プログラムモジュールはメモリ２０３に格納されてもよい。この場合、集積回路は、ストレージデバイス２０４を備えていなくてもよい。
【００４０】
なお、図２に示したユーザ端末装置２００の各要素は、一つの筐体の中に収容されていてもよい。この場合、ユーザ端末装置２００は、例えば、スマートフォンやタブレット端末、携帯電話、ウェアラブル機器等である。
【００４１】
（第１の実施形態）
図３は、本発明の第１実施形態における情報提供システムの構成例である。本発明の第１実施形態は、サーバ１００、ユーザ端末装置２００、及び第１ビーコン端末装置３４０を備える情報提供システムである。
【００４２】
本発明のサーバ１００には、サーバ側記憶部１０１、１０２が備わっている。サーバ側記憶部１０１には、既存の電子決済手段に関する情報が保管されている。サーバ側記憶部１０２には、決済特典情報、すなわち、既存の電子決済手段に対する特典情報が紐付された情報が保管されている。ここで、特典情報とは、特定の決済手段を用いた場合に、利用者に対して与えられるあらゆる種類の利益に関する情報である。
【００４３】
図１５は、本発明の第１実施形態における情報提供システムの構成例について説明するブロック図である。
【００４４】
図６は、サーバ側記憶部１０２に保管されている決済特典情報のデータ構成例を説明する図である。既存の電子決済手段Ａ〜Ｚが存在するときに、それぞれの電子決済手段を利用した場合の特典情報が紐付けられている。例えば、決済手段Ａでは、購入した金額に応じて通常の２倍のポイントが付与され、決済手段Ｙでは、１０００円以上購入すれば１％の割引を受けられる特典がある。決済手段Ｂ、Ｃ、Ｚでは、特典はないことが分かる。
【００４５】
ユーザ端末装置２００には、ユーザ端末側記憶部２０１が備わっている。ユーザ端末側記憶部２０１には、ユーザ端末装置２００において利用可能な電子決済手段である特定決済手段情報が保管されている。ユーザ２１０は、電子決済手段を利用するために、対応するアプリをユーザ端末装置２００にインストールするなどして、当該電子決済手段をユーザ端末装置２００において利用可能とすることができる。例えば、図３では、ユーザ２１０は、既存の電子決済手段Ａ〜Ｚが存在するときに、決済手段Ａ、Ｂ、Ｃをユーザ端末装置２００にインストールしている。なお、このユーザ端末は、ユーザが所有権を有する端末である必要はなく、レンタル等で他人名義の端末をユーザが利用する場合であっても良い。
【００４６】
第１ビーコン端末装置３４０は、店舗内のレジ端末３３０付近に設置される。第１ビーコン端末装置３４０は、Ｂｌｕｅｔｏｏｔｈ（登録商標）の規格に従った近距離無線通信により、通信距離内に位置して通信可能となったユーザ端末装置２００に対して、第１ビーコン信号を送信する。第１ビーコン端末装置３４０が送信する第１ビーコン信号の通信可能範囲は、例えば数メートル程度に設定される。なお、第１ビーコン端末装置３４０とユーザ端末装置２００との間で使用する近距離無線通信方式は、上記のＢｌｕｅｔｏｏｔｈ（登録商標）に限定されるものではなく、例えば、ＺｉｇＢｅｅ（登録商標）、ＮＦＣ（Ｎｅａｒ  Ｆｉｅｌｄ  Ｃｏｍｍｕｎｉｃａｔｉｏｎ）、音波ビーコン、Ｗｉ−Ｆｉビーコンなどをはじめとして、他の方式が採用されてもよい。
【００４７】
（第１の実施形態の処理方法）
図３において、ユーザ２１０が、決済の為に店舗内のレジ端末３３０付近に近づいたとき、ユーザ端末装置２００は、第１ビーコン端末装置３４０が送信する第１ビーコン信号を受信する（ステップＳ１０）。
【００４８】
第１ビーコン信号を受信したユーザ端末装置２００は、ユーザ端末側通信部より、本発明のサーバ１００に対して、自動的に、ユーザ端末側記憶部２０１で保管されているユーザ端末装置２００において利用可能な電子決済手段である特定決済手段情報を送信する（ステップＳ２０）。例えば、図３では、決済手段Ａ、Ｂ、Ｃが利用可能であるという情報を送信する。
【００４９】
特定決済手段情報を受信した本発明のサーバ１００は、サーバ側処理部において、サーバ側記憶部１０２に保管されている決済特典情報を参照して、特定決済手段情報に対応した特典情報である特定決済特典情報を抽出し、サーバ側通信部からユーザ端末装置２００に送信する（ステップＳ３０）。例えば、図３では、本発明のサーバ１００において、決済手段Ａ、Ｂ、Ｃに対応する特典情報を抽出する処理を行った後に、ユーザ端末装置２００に送信する。これは、図６の例でいうと、決済手段Ａではポイント２倍、決済手段Ｂ、Ｃでは特典なしという特典情報である。
【００５０】
特定決済特典情報を受信したユーザ端末装置２００は、表示部において、特定決済特典情報を選択画面として表示する（ステップＳ４０）。以下に、図１０及び図１３を用いて、選択画面表示例を説明する。
【００５１】
ユーザ端末装置２００の表示部において表示される選択画面としては、例えば、図１０の態様が挙げられる。図１０は、特定決済特典情報を優先順位付けすることなく、単純に列挙する表示例である。決済手段Ａ、Ｂ、Ｃに対して、それぞれの特典情報５０１〜５０３が付記されている。これにより、選択画面表示を見たユーザ２１０は、どの決済手段を選ぶとどのような特典が得られるかを短時間で把握することができる。図１０は、更に、アイコン６０１〜６０３を表示している。このアイコンは、決済手段に進むためのリンクである。すなわち、ユーザ２１０は、特定決済特典情報を参照した上で、特定の決済手段を選択した場合、アイコンをタッチすることで、選択した決済手段のアプリが立ち上がったり、ＱＲコードが表示されたりするなど、その後の決済に進みやすくなる。選択画面表示において、特定決済特典情報に加えて、このようなアイコンを表示するかどうかは任意である。
【００５２】
図１３も同様に、特定決済特典情報を優先順位付けすることなく、単純に列挙する表示例である。但し、図１０とは異なり、図１３では、決済手段Ａ、Ｂ、Ｃの特典情報５０１〜５０３と共に、アイコン６０１〜６０３ではなく、ＱＲコード７０１〜７０３が直接表示されている。これにより、ユーザ２１０は、特定決済特典情報を参照した上で、特定の決済手段を選択し、その画面表示のまま、決済に進むことができる。選択画面表示において、特定決済特典情報に加えて、このようなＱＲコードを表示するかどうかは任意である。このようなＱＲコードを表示した場合には、以下のステップＳ５０とステップＳ６０を省略することも可能である。
【００５３】
選択画面表示を見たユーザ２１０は、特定の決済手段を選択して、電子決済に進むための指示を当該特定の決済手段を提供する会社のサーバ４００に対して送信する（ステップＳ５０）。例えば、図３では、ユーザ２１０は、決済手段Ａを選択して、ＱＲコード決済会社Ａのサーバ４００に対して、ＱＲコード情報の送信を要求する。
【００５４】
サーバ４００は、電子決済情報記憶部４０１を備えており、上記電子決済に進むための指示を受けて、ユーザ端末装置２００に対して、決済のための情報を送信する（ステップＳ６０）。例えば、図３では、サーバ４００は、ユーザ２１０からのＱＲコード情報の送信要求を受けて、ユーザ端末装置２００に対して、ＱＲコード情報を送信する。
【００５５】
その後、ユーザ端末装置２００は、サーバ４００から決済のための情報を受信して、ユーザ２１０に対して、表示部において決済のための情報を表示する（ステップＳ７０）。例えば、図３では、ユーザ端末装置２００は、ユーザ２１０に対して、ＱＲコード情報を表示する（図１４）。ユーザ２１０は、このＱＲコード情報をレジ担当者３６０に示して、電子決済を完了することができる。
【００５６】
（第２の実施形態）
図４は、本発明の第２実施形態における情報提供システムの構成例である。本発明の第１実施形態との違いは、第１ビーコン信号に、第１ビーコン端末装置３４０が設置される店舗を特定する店舗情報が紐付けられており、かつ、サーバ側記憶部１０２に保管されている決済特典情報が、店舗ごとの特典情報を含んでいる点にある。
【００５７】
特典情報は、決済手段ごとに一律である場合も想定されるが、他方で、店舗・地域・店舗の種類ごとに独自の特典情報を付与するなど、特典情報が細かく設定される場合も想定される。本実施形態は、そのような状況に鑑みて、より細かい特典情報をユーザに提供するものである。
【００５８】
図８は、本実施形態において、第１ビーコン端末装置３４０が発信する第１ビーコン信号に載せる店舗情報の構成例を示す図である。店舗情報としては、第１ビーコン端末装置３４０の固有番号であるビーコン識別子の他、店舗情報として、店舗ＩＤが含まれている。店舗ＩＤは、第１ビーコン端末装置３４０が設置される店舗毎に付与される固有番号である。この店舗ＩＤは、全国の電子決済が可能な全ての店舗について個別の番号を割り当てることができる。なお、ビーコン識別子が店舗ＩＤとして扱われてもよい。この場合、店舗ＩＤは不要になる。
【００５９】
図９は、本実施形態において、サーバ側記憶部１０２に保管されている店舗ＩＤと店舗種類、店舗場所との紐付けのデータ構成例を説明する図である。第１ビーコン信号には、店舗ＩＤという数字情報しか載せられていないが、サーバ側記憶部１０２において、店舗ＩＤから、店舗の種類や店舗場所といった詳細な店舗情報と結びつけることが可能となる。
【００６０】
図７は、本実施形態において、サーバ側記憶部１０３に保管されている決済特典情報のデータ構成例を説明する図である。第１実施形態の図６とは異なり、店舗ＩＤ毎に各決済手段の特典情報が保管されている。
【００６１】
（第２の実施形態の処理方法）
図４において、ユーザ２１０が、決済の為に店舗内のレジ端末３３０付近に近づいたとき、ユーザ端末装置２００は、第１ビーコン端末装置３４０が送信する第１ビーコン信号を受信する（ステップＳ１１）。上述の通り、この第１ビーコン信号には、店舗情報が載せられている。
【００６２】
第１ビーコン信号を受信したユーザ端末装置２００は、ユーザ端末側通信部より、本発明のサーバ１００に対して、自動的に、ユーザ端末側記憶部２０１で保管されているユーザ端末装置２００において利用可能な電子決済手段である特定決済手段情報及び店舗情報を送信する（ステップＳ２１）。例えば、図４では、決済手段Ａ、Ｂ、Ｃが利用可能であるという情報及び店舗ＩＤ（００１）に関する情報を送信する。
【００６３】
特定決済手段情報及び店舗情報を受信した本発明のサーバ１００は、サーバ側処理部において、サーバ側記憶部１０３に保管されている店舗ごとの決済特典情報を参照して、特定決済手段情報及び店舗情報に対応した特典情報である特定決済特典情報を抽出し、サーバ側通信部からユーザ端末装置２００に送信する（ステップＳ３１）。例えば、図４では、本発明のサーバ１００において、決済手段Ａ、Ｂ、Ｃ及び店舗ＩＤ（００１）に対応する特典情報を抽出する処理を行った後に、ユーザ端末装置２００に送信する。これは、図７の例でいうと、決済手段Ａではポイント２倍、決済手段Ｂではタイムセール（３０％オフ）、決済手段Ｃでは特典なしという特典情報である。
【００６４】
特定決済特典情報を受信したユーザ端末装置２００は、表示部において、特定決済特典情報を選択画面として表示する（ステップＳ４１）。以下に、図１１及び図１２を用いて、選択画面表示例を説明する。
【００６５】
図１１は、特定決済特典情報を、特典の大きい順番（例えば割引率又はポイント還元率が高い順、若しくは割引金額が高い順）に優先順位付けして表示する選択画面表示例である。決済手段Ａ、Ｂ、Ｃのうち、特典が大きい決済手段Ｂを特典情報５０４及びアイコン６０４と共に優先順位１位として表示している。そして、その次に特典が大きい決済手段Ａを特典情報５０５及びアイコン６０５と共に優先順位２位として表示している。
【００６６】
図１２は、特定決済特典情報を、最も特典の大きい決済手段に絞って表示する選択画面表示例である。決済手段Ａ、Ｂ、Ｃのうち、特典が最も大きい決済手段Ｂのみを特典情報５０４及びアイコン６０４と共に表示している。
【００６７】
選択画面表示を見たユーザ２１０は、特定の決済手段を選択して、電子決済に進むための指示を当該特定の決済手段を提供する会社のサーバ４１０に対して送信する（ステップＳ５１）。例えば、図４では、ユーザ２１０は、決済手段Ａを選択して、ＱＲコード決済会社Ｂのサーバ４１０に対して、ＱＲコード情報の送信を要求する。
【００６８】
サーバ４１０は、電子決済情報記憶部４１１を備えており、上記電子決済に進むための指示を受けて、ユーザ端末装置２００に対して、決済のための情報を送信する（ステップＳ６１）。例えば、図４では、サーバ４１０は、ユーザ２１０からのＱＲコード情報の送信要求を受けて、ユーザ端末装置２００に対して、ＱＲコード情報を送信する。
【００６９】
その後、ユーザ端末装置２００は、サーバ４１０から決済のための情報を受信して、ユーザ２１０に対して、表示部において決済のための情報を表示する（ステップＳ７１）。例えば、図４では、ユーザ端末装置２００は、ユーザ２１０に対して、ＱＲコード情報を表示する（図１４）。ユーザ２１０は、このＱＲコード情報をレジ担当者３６０に示して、電子決済を完了することができる。
【００７０】
（第３の実施形態）
図５は、本発明の第３実施形態における情報提供システムの構成例である。本発明の第２実施形態との違いは、ユーザ端末装置２００が、本発明のサーバ１００から決済特典情報を繰り返し受信し、ユーザ端末側第２記憶部２０３に保管（同期）する点にある。
【００７１】
本発明の第１、２実施形態においては、決済特典情報は、本発明のサーバ１００に保管されているため、ユーザ端末装置２００は、電子決済の度に、第１ビーコン信号のトリガーを受けて、特定決済特典情報を本発明のサーバ１００から受信して表示していた。しかしながら、通信状況や本発明のサーバ１００の負担を考慮すれば、電子決済時に処理が遅れることも考えられる。そこで、本発明の第３実施形態では、電子決済のタイミング以前から、決済特典情報をユーザ端末装置２００のユーザ端末側第２記憶部２０３に保管（同期）しておき、電子決済時には、ユーザ端末装置２００だけでプロセスが完了することとしている。
【００７２】
図１６は、本発明の第３実施形態における情報提供システムの構成例について説明するブロック図である。
【００７３】
（第３の実施形態の処理方法）
図５において、ユーザ端末装置２００のユーザ端末側第２記憶部２０３は、電子決済のタイミング以前から繰り返し、本発明のサーバ１００から決済特典情報を受信して更新しながら記憶している（ステップＳ１）。
【００７４】
なお、この場合の決済特典情報は、本発明のサーバ１００が保持する全ての特典情報であってもよいし、ユーザ端末装置２００で利用可能な電子的な決済手段を示す特定決済手段情報に対応した特典情報である特定決済特典情報であってもよい。前者の情報量が多い場合には、ユーザ端末装置２００のユーザ端末側第２記憶部２０３の負担を軽くするためにも、後者の情報に限定して保管（同期）することが好ましい。後者の場合は、例えばユーザ端末装置２００は、繰り返し特定決済手段情報をサーバ１００に送信する。サーバ１００は、受信した特定決済手段に対応した特定決済特典情報をユーザ端末装置２００に送信する。
【００７５】
ユーザ２１０が、決済の為に店舗内のレジ端末３３０付近に近づいたとき、ユーザ端末装置２００は、第１ビーコン端末装置３４０が送信する第１ビーコン信号を受信する（ステップＳ１２）。例えば、図５では、店舗ＩＤ（００１）を送信する。
【００７６】
第１ビーコン信号を受信したユーザ端末装置２００は、特定決済手段情報が保管されているユーザ端末側第１記憶部及び決済特典情報が保管されているユーザ端末側第２記憶部２０３の情報をもとに、特定決済手段情報に対応する決済特典情報である特定決済特典情報を抽出して表示データを作成する（ステップＳ３２）。例えば、図５では、ユーザ端末側第１記憶部２０２に決済手段Ａ、Ｂ、Ｃが保管されており、ユーザ端末側第２記憶部２０３に保管されている決済特典情報から、決済手段Ａ、Ｂ、Ｃ及び店舗ＩＤ（００１）に対応する特典情報を抽出して表示データを作成する。これは、図７の例でいうと、決済手段Ａではポイント２倍、決済手段Ｂではタイムセール（３０％オフ）、決済手段Ｃでは特典なしという特典情報である。
【００７７】
ユーザ端末装置２００は、表示部において、特定決済特典情報を選択画面として表示する（ステップＳ４２）。
【００７８】
選択画面表示を見たユーザ２１０は、特定の決済手段を選択して、電子決済に進むための指示を当該特定の決済手段を提供する会社のサーバ４１０に対して送信する（ステップＳ５２）。
【００７９】
サーバ４１０は、電子決済情報記憶部４１１を備えており、上記電子決済に進むための指示を受けて、ユーザ端末装置２００に対して、決済のための情報を送信する（ステップＳ６２）。
【００８０】
その後、ユーザ端末装置２００は、サーバ４１０から決済のための情報を受信して、ユーザ２１０に対して、表示部において決済のための情報を表示する（ステップＳ７２）。
【００８１】
（第４の実施形態）
本発明の第４実施形態における情報提供システム（図示はしていない）は、本発明の第１〜３の実施形態と異なり、ビーコン端末装置が２つ存在する。
【００８２】
１つ目のビーコン端末装置は、第１ビーコン端末装置３４０であり、店舗内のレジ端末３３０付近に設置されており、数メートルの近距離に対して、第１ビーコン信号を発信している。２つ目のビーコン端末装置は、第２ビーコン端末装置であり、店舗に関連して設置され、比較的遠い距離に対して、第２ビーコン信号を発信している。例えば、第２ビーコン端末装置は、店舗入り口付近や店舗が入っているショッピングモール入り口付近に設置され、数メートルから数十メートルの距離に対して、第２ビーコン信号を発信している。
【００８３】
本発明の第１、２実施形態の場合、店舗入口３１０付近など電子決済に先立つ場所においてこの第２ビーコン信号を受信したユーザ端末装置２００は、本発明のサーバ１００に対して、特定決済手段情報を送信する。
【００８４】
本発明の第４実施形態の場合、店舗入口３１０付近など電子決済に先立つ場所においてこの第２ビーコン信号を受信したユーザ端末装置２００は、本発明のサーバ１００に対して、決済特典情報を更新する指示を送信する。
【００８５】
これにより、ユーザ端末装置２００は、より電子決済に近いタイミングで特定決済特典情報を取得又は同期することが可能となる。この場合、店舗内のレジ端末３３０付近で受信する第１ビーコン信号は、特段の意義を持たなくてもよいし、更新された特典情報があるかどうかのチェックをするだけでもよいし、一定時間を経過して無効となったＱＲコードを更新するものであってもよい。このような事前処理により、実際の電子決済がよりスムーズに行われる。
【００８６】
（第５の実施形態）
電子的な決済手段には、例えば、月額１万円の利用までは特典が付くが、それ以降は特典が付かないといった特典の利用総額上限が設けられている場合がある。特典利用総額上限を超えて特典がなくなったにもかかわらず、その特定決済特典情報を提供することは実態にそぐわない。
【００８７】
また、電子的な決済手段には、例えば、月額１万円の利用までは特典が大きいが、それ以降は特典が小さくなるというように特典が利用総額に応じて段階的に設定されている場合がある。この場合には、利用総額に応じた特定決済特典情報を提供する必要がある。
【００８８】
そこで、本発明の第５実施形態における情報提供システム（図示はしていない）は、本発明の第１〜４の実施形態に加えて、電子的な決済手段の所定期間内の利用総額を考慮して特定決済特典情報を提供する機能を有するものである。
【００８９】
本実施形態においては、決済特典情報は、その決済手段の特典と所定期間内の利用総額に関する情報を含んでいる。また、サーバ側記憶部又はユーザ端末側記憶部には、その決済手段の所定期間内の利用総額が記憶されている。
【００９０】
サーバ側処理部又はユーザ端末側処理部は、上記所定期間内の利用総額における特典を計算して、特定決済特典情報を抽出又は選択する。
【００９１】
本発明の第５の実施形態を、第１の実施形態を説明する図３、１５を用いて説明する。サーバ側記憶部１０２には、決済特典情報、すなわち、既存の電子決済手段に対する特典情報が紐付された情報が保管されている。本発明の第５の実施形態においては、サーバ側記憶部１０２には、更に、電子決済手段の特典と所定期間内の利用総額に関する情報が含まれている。
【００９２】
所定期間としては、例えば、１週間、１ヶ月間、３ヶ月間、半年間、１年間などがあり得る。所定期間は、キャッシュレス決済サービスを提供する企業が設定するものである。
【００９３】
サーバ側記憶部（１０２と同じ場所である必要はない。）には、また、ユーザが過去に利用した電子決済手段の所定期間内の利用総額が記憶されている。
【００９４】
特典と所定期間内の利用総額に関する情報とは、例えば、以下のような内容があり得る。
・１ヶ月間の利用総額が３万円を超えた場合には、以降は特典が付かなくなる。
・１週間の利用総額が１万円を超えた場合には、以降も特典が付くものの、還元率が小さくなる。
【００９５】
サーバ側処理部は、特定決済特典情報を抽出するに当たって、サーバ側記憶部に保管されている決済手段の所定期間内の利用総額に基づいて、サーバ側記憶部１０２に保管されている電子決済手段の特典と所定期間内の利用総額に関する情報から、特典を抽出する。
【００９６】
本発明の第５の実施形態は、第３の実施形態にも適用することが可能である。この場合、ユーザが過去に利用した電子決済手段の所定期間内の利用総額及び電子決済手段の特典と所定期間内の利用総額に関する情報は、ユーザ端末側記憶部に記憶されることになる（図５、１６）。
【００９７】
これにより、本発明の第５の実施形態では、より正確な特定決済特典情報を提供することが可能となる。
【００９８】
（第６の実施形態）
本発明の第６実施形態における情報提供システム（図示はしていない）は、本発明の第１〜５の実施形態に加えて、ユーザの設定するルールを考慮して特定決済特典情報を提供する機能を有するものである。
【００９９】
本発明の第１〜５の実施形態においては、特定決済特典情報は、ユーザの好みに関わらず決定される。
【０１００】
しかし、ユーザによっては、ある特定の決済手段を優先的に使用したい場合がある。すなわち、例えば、ユーザ端末装置２００において利用可能な決済手段がＡ、Ｂ、Ｃの３つある場合において、ユーザは、一回の買い物時における特典を最大化することには関心がなく、当月いっぱいは決済手段Ａを集中的に使用して、一か月トータルでの決済手段Ａの特典を最大化したいと希望する場合もある。
【０１０１】
また、例えば、同様に、ユーザ端末装置２００において利用可能な決済手段がＡ、Ｂ、Ｃの３つある場合において、ユーザは、基本的には決済手段Ａで毎回決済したいと考えているが、一回の買い物時において決済手段Ｂが決済手段Ａと比較して相当有利な特典を提供する場合には、決済手段Ｂを使用したいと希望する場合もある。
【０１０２】
いずれの場合においても、ユーザが予めルールを設定しておき、サーバ側処理部又はユーザ端末側処理部が、このルールを考慮した上で特定決済特典情報を提供することにより、上記ユーザの希望が満たされることになる。
【０１０３】
ユーザは、ユーザ端末装置２００の入出力インタフェース２０５を利用して、予め希望のルールを設定することができる。ユーザの設定するルールは、サーバ側記憶部又はユーザ端末側記憶部に保管され、それぞれサーバ側処理部又はユーザ端末側処理部が処理時に適宜参照する。ユーザが設定するルールは、一度設定されればその後ずっと固定されるものでもよいし、ユーザの希望に応じてその都度変更することができるものであってもよい。
【０１０４】
これにより、本発明の第６の実施形態では、ユーザの設定するルールを考慮して、ユーザの希望を加味した特定決済特典情報を提供することができる。
【０１０５】
（第７の実施形態）
電子的な決済手段には、地域や店舗によって特典が決まるものもあれば、商品によって特典が決まるものもある。状況によっては、商品ごとに決定される特典が大きく、商品を考慮した特定決済特典情報を提供することが望まれる。
【０１０６】
本発明の第７実施形態においては、商品判別部によって商品の種類を判別し、商品に応じた特定決済特典情報を提供する機能を有するものである。
【０１０７】
商品判別部としては、例えば、ユーザ端末装置２００が考えられる。この場合、以下の方式で商品を判別することができる。
・商品購入時にレジ側端末３３０で読み取った商品情報を、レジ担当者３６０にＱＲコードで表示してもらい、それをユーザ２１０がユーザ端末装置２００のカメラで読み取って判別する方式。
・サーバ側記憶部１０２又はユーザ端末側記憶部２０１に予め商品情報を保管しておき、ユーザ２１０が商品購入前に購入予定商品のバーコードをユーザ端末装置２００のカメラで読み取って判別する方式。
【０１０８】
本発明の第７実施形態によれば、また、複数の商品を購入する場合であっても、複数の商品の特典を合計して特定決済特典情報を提供することができる。
【０１０９】
以上、第１〜第７の実施形態において、ビーコン端末装置を用いた情報提供システムを説明したが、ビーコン端末装置を用いる実施形態以外にも、ＷｉＦｉやＧＰＳを利用して（自身で円範囲を設定することができる）ジオフェンスエリア内の出入りをユーザ端末２００が探知してトリガーとする場合や、暗号化したビーコンコードをＱＲコードや認識画像に置き換えてカメラによるビーコンの擬似受信をトリガーとする場合、スマホなどの液晶画面の同時タッチや連続タッチパターンをトリガーとする場合なども実施形態として採用しうる。
【符号の説明】
【０１１０】
１００  サーバ
１０１、１０２  サーバ側記憶部
２００  ユーザ端末装置
２０１  ユーザ端末側記憶部
２１０  ユーザ
３００  店舗
３１０  店舗入口
３２０  商品棚
３３０  レジ端末
３４０  第１ビーコン端末装置
３５０  レジカウンター
３６０  レジ担当者
４００  決済会社Ａのサーバ
４１０  決済会社Ｂのサーバ
５０１〜５０５  特典情報
６０１〜６０５  アイコン
７０１〜７０３  ＱＲコード
【図１】
2020126593.tif 000003
【図２】
2020126593.tif 000004
【図３】
2020126593.tif 000005
【図４】
2020126593.tif 000006
【図５】
2020126593.tif 000007
【図６】
2020126593.tif 000008
【図７】
2020126593.tif 000009
【図８】
2020126593.tif 000010
【図９】
2020126593.tif 000011
【図１０】
2020126593.tif 000012
【図１１】
2020126593.tif 000013
【図１２】
2020126593.tif 000014
【図１３】
2020126593.tif 000015
【図１４】
2020126593.tif 000016
【図１５】
2020126593.tif 000017
【図１６】
2020126593.tif 000018